(57)【特許請求の範囲】
【請求項１】
吸気口と排気口を有する箱状の装置本体と、
装置本体の吸気口側に設けられた集塵フィルターと、
装置本体の排気口側に設けられ、集塵フィルターと略平行で臭気成分を脱臭し、かつオゾンを分解するガス処理機能材と、
装置本体内で、集塵フィルターとガス処理機能材との間に設けられ、集塵フィルターを通過した空気を装置本体内の端面側に迂回させてガス処理機能材に流すための仕切板と、
放電線と対向電極とにより構成され、装置本体内で仕切板とガス処理機能材とで形成される風路内に長手方向が風の流れと略平行となるように配置された臭気成分を脱臭するコロナ放電電極と、
装置本体内でガス処理機能材より排気口側に設けられた送風ファンと
を備えたことを特徴とする空気清浄機。
【請求項２】
吸気口と排気口を有する箱状の装置本体と、
装置本体の吸気口側に設けられた集塵フィルターと、
装置本体の排気口側に設けられ、集塵フィルターと略平行で臭気成分を脱臭し、かつオゾンを分解するガス処理機能材と、
装置本体内で、集塵フィルターとガス処理機能材との間に設けられ、集塵フィルターを通過した空気を装置本体内の端面側に迂回させてガス処理機能材に流すための仕切板と、
局部的に尖った先端を複数有する板状電極と対向電極とにより構成され、装置本体内で仕切板とガス処理機能材とで形成される風路内に長手方向が風の流れと略平行となるように配置された臭気成分を脱臭するコロナ放電電極と、
装置本体内でガス処理機能材より排気口側に設けられた送風ファンと
を備えたことを特徴とする空気清浄機。
【請求項３】
前記ガス処理機能材の下流側にコロナ放電電極の対向電極と同極の網状接地電極を設けたことを特徴とする請求項１又は２記載の空気清浄機。
【請求項４】
ガス処理機能材は難燃性または不燃性の材料で構成されたことを特徴とする請求項１ないし３のいずれか記載の空気清浄機。
【請求項５】
ガス処理機能材は活性炭にセラミックをコーティングしたものであること特徴とした請求項４記載の空気清浄機。
【発明の詳細な説明】
【０００１】
【発明の属する技術分野】
本発明は空気清浄機、特に臭気成分の分解のためにコロナ放電を利用するものに関するものである。
【０００２】
【従来の技術】
図２は特開平５−４９８３１号公報に開示されている従来のオゾン脱臭装置の全体構成を示す概略図である。
図において、１は前面中央に設けられた吸気口９と前面両側に設けられた排気口１０とを有する箱状の装置本体、２は装置本体１内の背面側中央に設けられた送風機、３は装置本体１に内装され、吸気口９から排気口１０に至る空気流路を形成する内箱である。
【０００３】
４はコロナ放電によってオゾンを発生するオゾン発生器、５はオゾン発生器４を収容する反応室、６は反応室５の排出側に設けられ、ハニカム状の成形体にオゾン分解触媒が塗布されたオゾン分解フィルタ−、７は反応室５の吸気側に設けられたプレフィルタ−、８は反応室５の吸気側に設けられた集塵機能を持つ静電フィルターである。
そして、オゾン発生器４、反応室５、オゾン分解フィルタ−６、プレフィルタ−７及び静電フィルター８は、送風機２によって流動する空気流路の途中部に配置されるよう内箱３に内装されている。
【０００４】
次に、従来のオゾン脱臭装置の動作について説明する。
まず、送風機２により吸気口９から装置本体１内に導入された空気はプレフィルタ−７を通過する際、大きなホコリなどが取り除かれる。
次に、静電フィルター８を通過する際、細かなチリ、たばこの煙などが取り除かれる。空気中の臭気成分はオゾン発生器４内でのコロナ放電によって発生したオゾンと反応室５内で反応し脱臭される。
脱臭後の空気中に残存するオゾンはオゾン分解フィルタ−６で分解処理されるが、臭気成分の一部はオゾン分解フィルタ−６の表面に吸着され、ここでオゾンが分解される際に発生する酸素原子と反応し脱臭される。
このようにオゾン分解フィルタ−６はオゾン分解のみでなく、脱臭作用をも持つガス処理機能材である。上述のようにして浄化された空気は排気口１０より排出される。
【０００５】
【発明が解決しようとする課題】
以上のように構成された従来のオゾン脱臭装置のオゾン発生器４は放電線あるいは針状電極と対向電極によるコロナ放電を利用したものであるが、その長手方向を風の流れと直交させて配置されているので、放電線近傍または針状電極の針先端部近傍に多く存在するプラズマ、ラジカルと臭気成分との接触時間が非常に短く、本来すぐれた脱臭反応を生起させることが期待できるプラズマ、ラジカルを有効利用できていないという問題があった。
また、コロナ放電はオゾン発生器４内で完結しているので、プラズマ、ラジカルがオゾン分解フィルタ−６の表面に吸着された臭気成分に作用を及ぼすことが少なく、この点からもプラズマ、ラジカルを有効に利用できていないという問題があった。
【０００６】
本発明は、上記のような問題点を解決するためになされたものであり、プラズマ、ラジカルと臭気成分の接触時間を長くし、またプラズマ、ラジカルがオゾン分解フィルタ−の表面にも作用するようにし、優れた脱臭力を得ることができる空気清浄機を得ることを目的とする。
【０００７】
【課題を解決するための手段】
本発明に係る空気清浄機は、吸気口と排気口を有する装置本体と、装置本体の吸気口側に設けられた集塵フィルターと、装置本体の排気口側に設けられ、集塵フィルターと略平行で臭気成分を脱臭し、かつオゾンを分解するガス処理機能材と、装置本体内で、集塵フィルターとガス処理機能材との間に設けられ、集塵フィルターを通過した空気を装置本体内の端面側に迂回させてガス処理機能材に流すための仕切板と、放電線と対向電極とにより構成され、装置本体内で仕切板とガス処理機能材とで形成される風路内に長手方向が風の流れと略平行となるように配置された臭気成分を脱臭するコロナ放電電極と、装置本体内でガス処理機能材より排気口側に設けられた送風ファンとを備えて構成されている。
【０００８】
また、吸気口と排気口を有する箱状の装置本体と、装置本体の吸気口側に設けられた集塵フィルターと、装置本体の排気口側に設けられ、集塵フィルターと略平行で臭気成分を脱臭し、かつオゾンを分解するガス処理機能材と、装置本体内で、集塵フィルターとガス処理機能材との間に設けられ、集塵フィルターを通過した空気を装置本体内の端面側に迂回させてガス処理機能材に流すための仕切板と、局部的に尖った先端を複数有する板状電極と対向電極とにより構成され、装置本体内で仕切板とガス処理機能材とで形成される風路内に長手方向が風の流れと略平行となるように配置された臭気成分を脱臭するコロナ放電電極と、装置本体内でガス処理機能材より排気口側に設けられた送風ファンとを備えたものである。
【０００９】
また、前記ガス処理機能材の下流側にコロナ放電電極の対向電極と同極の網状接地電極を設けたものである。
【００１０】
また、前記ガス処理機能材を難燃性または不燃性の材料で構成したものである。
【００１１】
また、ガス処理機能材として活性炭にセラミックをコーティングしたものである。
【００１２】
【発明の実施の形態】
実施の形態１．
図１は本発明の実施の形態１の空気清浄機の要部を示す断面図である。図において、１１は側部背面側に排気口１２を有する箱状の装置本体、１３は装置本体１１に着脱自在に取り付けられ、吸気口１４を有する吸込パネル、１５は吸込パネル１３の吸気口１４側に略全面にわたって設けられたプレフィルター、１６は吸込パネル１３にプレフィルター１５より装置本体１１の内側に略全面にわたって設けられたガラス繊維フィルターをプリーツ加工した集塵フィルターである。
【００１３】
１７は装置本体１１の排気口側の側部からそれぞれ内側に張り出した取付板１８に取り付けられ、集塵フィルター１６と平行なガス処理機能材で、活性炭にセラミックをコーティングして難燃性を持たせ、かつオゾン分解触媒として働く薬剤も塗布されて形成されている。１９は装置本体１１内で、集塵フィルター１６とガス処理機能材１７との間に設けられ、集塵フィルター１６を通過した空気を装置本体１１内の側面側に迂回させてガス処理機能材１７に流すための仕切板、２０は装置本体１１内で仕切板１９とガス処理機能材１７とで形成される風路である。
【００１４】
２１は風路２０内に長手方向が風の流れと略平行となるように配置された臭気成分を脱臭するコロナ放電電極で、放電線２１ａと対向電極２１ｂとにより構成されている。２２は装置本体１１内でガス処理機能材１７より排気口１２側に設けられた送風機、２３は装置本体１１内でガス処理機能材１７の下流側に設けられた金網よりなる網状接地電極であり、対向電極２１ｂと同極になっている。
【００１５】
次に、本発明の実施の形態１の空気清浄機における動作について説明する。
まず、送風機２２により吸気口１４から装置本体１１内に導入された空気はプレフィルタ−１５、集塵フィルター１６を通過して除塵され、コロナ放電電極２１に至る。
そのコロナ放電電極２１の放電線２１ａと対向電極２１ｂ間には１〜１０ＫＶ程度の直流または交流あるいはパルス波状の高電圧が印加され、コロナ放電が起き、プラズマ、ラジカル、オゾンが生成される。なお、パルス波状の高電圧が印加されると、オゾンだけでなくプラズマとラジカルも多く生成される。
【００１６】
装置本体１１内に導入され、風路２０にあるコロナ放電電極２１に至った空気中の臭気成分の一部はコロナ放電電極２１によって生成されたプラズマ、ラジカル、オゾンと反応室内で反応して脱臭され、また残りの一部はガス処理機能材１７の表面に吸着された後、プラズマ、ラジカル、オゾンと反応して脱臭される。  臭気成分の中にはガス処理機能材１７の表面に吸着され、ここでオゾンが分解する際に発生する酸素原子と反応し脱臭されるものもある。こうして除塵、脱臭された空気は排気口１２より装置本体１１の外へと排出される。
【００１７】
本発明の実施の形態１では、装置本体１１内で仕切板１９とガス処理機能材１７とで形成される風路２０内にコロナ放電電極２１が風の流れと略平行となるように配置されているので、風路２０内を通る風がコロナ放電電極２１の長手方向に沿って流れるため、コロナ放電電極２１の放電線２１ａの近傍に多く存在するプラズマ、ラジカルと臭気成分の接触時間が長くなり、プラズマ、ラジカルのすぐれた脱臭力を有効に利用することができる。
【００１８】
また、ガス処理機能材１７の下流側に対向電極２１ｂと同極の網状接地電極２３を設けたので、ガス処理機能材１７が放電域に入り、プラズマ、ラジカルがガス処理機能材１７の表面に吸着された臭気成分と反応する機会が多くなるため、プラズマ、ラジカルの脱臭力を有効に利用することができる。
しかし、網状接地電極２３を設けガス処理機能材１７を放電域に入れると、導電性のホコリが放電線２１ａとガス処理機能材１７の間に堆積し、放電ギャップを小さくすることにより火花放電が起き、万一ホコリに着火した場合、ガス処理機能材１７が類焼する恐れがある。
【００１９】
そのために、本実施の形態１ではガス処理機能材１７を難燃性または不燃性の材料で構成しており、火花放電が起きてもガス処理機能材１７が類焼するというおそれがなくなった。
また、ガス処理機能材１７は活性炭にセラミックをコーティングし難燃性を持たせ、かつオゾン分解触媒として働く薬剤を塗布して製造したので、ガス処理機能材としての機能、即ち臭気成分を一旦吸着し、ここでプラズマ、ラジカル、オゾンと反応させ脱臭する機能及び余剰のオゾンを分解して装置本体外にオゾンが排出しないようにする機能と、難燃性とを安価に保有させることができた。
【００２０】
なお、本発明は上記実施例に限定されるものではなく、本発明の範囲で変更を加え得ることは勿論である。例えば、コロナ放電電極２１は局部的に尖った先端を複数有する板状電極と対向電極を組み合わせたものでもよい。
【００２１】
【発明の効果】
以上のように、本発明に係る空気清浄機によれば、風の流れの上流側より、集塵フィルター、臭気成分を脱臭するコロナ放電電極、臭気成分を脱臭し、かつオゾンを分解するガス処理機能材を配置し、集塵フィルターとガス処理機能材とは間に仕切板を挟んで略平行に配置し、コロナ放電電極を放電線と対向電極、或いは局部的に尖った先端を複数有する板状電極と対向電極とにより構成し、そのコロナ放電電極を仕切板とガス処理機能材とで形成される風路内に長手方向が風の流れと略平行となるように配置したので、風路内を通る風がコロナ放電電極に沿って流れるため、放電線近傍に多く存在するプラズマ、ラジカルと臭気成分の接触時間が長くなり、プラズマ、ラジカルのすぐれた脱臭力を有効に利用できるという効果がある。
【００２２】
また、ガス処理機能材の下流側にコロナ放電電極の対向電極と同極の網状接地電極を設けたので、ガス処理機能材が放電域に入り、プラズマ、ラジカルがガス処理機能材表面に吸着された臭気成分と反応する機会が多くなるからプラズマ，ラジカルの脱臭力を有効に利用できるという効果がある。
【００２３】
また、ガス処理機能材が難燃性または不燃性の材料で構成されているので、コロナ放電電極部で火花放電が起きてもガス処理機能材へ類焼するというおそれがないという効果がある。
【００２４】
また、ガス処理機能材が活性炭にセラミックをコーティングしたものであるので、ガス処理機能材としての機能と難燃性を安価に保有させることができるという効果がある。
【図面の簡単な説明】
【図１】本発明の実施の形態１の空気清浄機の要部を示す断面図である。
【図２】従来のオゾン脱臭装置を示す断面図である。
【符号の説明】
１１  装置本体、１２  排気口、１４  吸気口、１６  集塵フィルター、１７  ガス処理機能材、１９  仕切板、２０  風路、２１  コロナ放電電極、２２  送風機、１３  網状接地電極。
【図１】
0003551295.tif 000002
【図２】
0003551295.tif 000003